(57)【要約】【課題】螺旋部幅方向における被清掃体との接触部の端部から生じる螺旋部のちぎれを抑制する。【解決手段】軸体１００Ａと、軸体１００Ａの外周面に形成され螺旋状に突出して設けられ前記軸体の回転に伴い被清掃体１４と接触する接触部１００Ｊと、接触部１００Ｊに形成され軸体１００Ａの回転方向に向く段差１００Ｅと、接触部１００Ｊの幅方向における接触部１００Ｊが被清掃体１４に先に接触する側に位置し軸体１００Ａからの高さが接触部１００Ｊの高さから徐々に低くなり被清掃体１４に対して非接触とされる端部１００Ｄと、を有する螺旋部１００Ｂと、を備えた。【選択図】図３
2014074865.tif 000002
【特許請求の範囲】
【請求項１】
軸体と、
前記軸体の外周面に形成され螺旋状に突出して設けられ前記軸体の回転に伴い被清掃体と接触する接触部と、前記接触部に形成され前記軸体の回転方向に向く段差と、前記接触部の幅方向における前記接触部が前記被清掃体に先に接触する側に位置し前記軸体からの高さが前記接触部の高さから徐々に低くなり前記被清掃体に対して非接触とされる端部と、を有する螺旋部と、
を備えた清掃部材。
【請求項２】
前記軸体の軸方向と前記段差との角度は、前記軸方向と前記螺旋部との角度よりも小さい、請求項１記載の清掃部材。
【請求項３】
前記段差は、前記螺旋部に形成された切れ目に対する回転方向上流側に形成されている、請求項１又は２の清掃部材。
【請求項４】
前記段差は、前記螺旋部の前記軸体側から前記接触部側に向かうに従い、前記切れ目がより開いた状態に開口されて形成されている、請求項３記載の清掃部材。
【請求項５】
前記段差は複数設けられるとともに、前記軸体の軸方向においてオーバーラップされている、請求項１乃至４のいずれか一項に記載の清掃部材。
【請求項６】
前記螺旋部は、短冊体の短辺と鋭角をなす方向に前記短辺に隣接する２つの長辺が互いに重なり合うように繰り返し巻かれて円柱状に変形された状態の前記短冊体を、前記軸体の軸方向に螺旋状に巻き付けて形成され、
前記段差は、前記変形体を前記軸体の軸方向に螺旋状に巻き付けることで、前記変形体における２つの長辺が互いに重なり合う部分が開いて形成されている、
請求項１、２、４又は５のいずれか一項に記載の清掃部材。
【請求項７】
像保持体の表面を帯電させる帯電部材と、
前記帯電部材を被清掃体とする請求項１乃至６のいずれか一項に記載の清掃部材と、
を備えた帯電装置。
【請求項８】
請求項７に記載の帯電装置と、
前記帯電装置によって帯電される像保持体と、
を含み、
画像形成装置本体に対して一体として交換可能となるように組立てられた組立体。
【請求項９】
像保持体と、
請求項７に記載の帯電装置と、
前記帯電装置によって帯電された前記像保持体の表面に潜像を形成する潜像形成装置と、
前記潜像をトナーによってトナー像に現像する現像装置と、
前記トナー像を被転写体に転写する転写装置と、
を備えた画像形成装置。
【請求項１０】
請求項８に記載の組立体を含んで構成され、前記組立体に備えられた像保持体に潜像を形成し、前記潜像をトナーによってトナー像に現像し、前記トナー像を被転写媒体に転写させる、画像形成部
を備えた画像形成装置。
【発明の詳細な説明】
【技術分野】
【０００１】
本発明は、清掃部材、帯電装置、組立体及び画像形成装置に関する。
【背景技術】
【０００２】
特許文献１には、その図４に示されるように、帯電ローラ１１に付着したトナーを含む異物を除去するクリーニングローラ１６を備え、クリーニングローラ１６は、回転軸の周りに筒状に設けられた弾性体で構成されたクリーニング部材１８と、クリーニング部材１８の表面に、一部が常に帯電ローラ１１と接触してクリーニングローラ１６の連れ回りを促すコート膜１９とを備えた、帯電装置の構成が開示されている。
【０００３】
特許文献２には、その図１に示されるように、一方の表面に立体形状が形成された立体形状面２ａを有するパターンシート２と、このパターンシート２を送出する巻出機４と、巻出機４より送出されたパターンシート２に加熱処理を施す加熱部５と、加熱処理されたパターンシート２の表面上にシート状の溶解樹脂３０を吐出するＴダイ（押出機）６と、を備えたシート押出成形装置１Ａにより、二次元的に独立して配置された形状であって、側面の接線と、パターンシート２の一方の面とのなす最大傾斜角度は、前記凹凸形状の側
面の接線と、前記パターンシートの一方の面とのなす最大傾斜角度と比べて大きい、レンズシートの製造方法が開示されている。
【０００４】
特許文献３には、その図３に示されるように、スポンジをローラ形状に形成した本体部３１の外周面３１ａに、帯電ローラ１３の外周面１３ａに摺接する際に開閉する長尺スリット３３を形成することにより、その帯電ローラ１３に付着するトナーなどを外周面３１ａで拭き取りつつ、長尺スリット３３のエッジ３３ａでそのトナーなどを掻き取るようにして除去し、その長尺スリット３３内に保持する、クリーニングローラ３０の構成が開示されている。
【０００５】
特許文献４には、その図３に示されるように、軸状部材３５１と、軸状部材３５１に隙間をあけて螺旋状に巻きつけられ、表面に複数の切れ目部３５２ａを有する弾性部材３５２とを備えた、帯電ローラの表面を清掃するクリーニングローラの構成が開示されている。
【先行技術文献】
【特許文献】
【０００６】
【特許文献１】特開２０１０−６０９９７号公報
【特許文献２】特開２０１１−１４５５１５号公報
【特許文献３】特開２００６−２７６４０４号公報
【特許文献４】特開２０１１−２０３５６９号公報
【発明の概要】
【発明が解決しようとする課題】
【０００７】
螺旋部幅方向における被清掃体との接触部の端部から生じる螺旋部のちぎれが抑制されることを課題とする。
【課題を解決するための手段】
【０００８】
本発明の請求項１の清掃部材は、軸体と、前記軸体の外周面に形成され螺旋状に突出して設けられ前記軸体の回転に伴い被清掃体と接触する接触部と、前記接触部に形成され前記軸体の回転方向に向く段差と、前記接触部の幅方向における前記接触部が前記被清掃体に先に接触する側に位置し前記軸体からの高さが前記接触部の高さから徐々に低くなり前記被清掃体に対して非接触とされる端部と、を有する螺旋部と、を備えたことを特徴とする。
【０００９】
本発明の請求項２の清掃部材は、請求項１に記載の清掃部材において、前記軸体の軸方向と前記段差との角度は、前記軸方向と前記螺旋部との角度よりも小さいことを特徴とする。
【００１０】
本発明の請求項３の清掃部材は、請求項１又は２に記載の清掃部材において、前記段差は、前記螺旋部に形成された切れ目に対する回転方向上流側に形成されていることを特徴とする。
【００１１】
本発明の請求項４の清掃部材は、請求項１乃至３のいずれか一項に記載の清掃部材において、前記段差は、前記螺旋部の前記軸体側から前記接触部側に向かうに従い、前記切れ目がより開いた状態に開口されて形成されていることを特徴とする。
【００１２】
本発明の請求項５の清掃部材は、請求項１乃至４のいずれか一項に記載の清掃部材において、前記段差は複数設けられるとともに、前記軸体の軸方向においてオーバーラップされていることを特徴とする。
【００１３】
本発明の請求項６の清掃部材は、請求項１、２、４又は５のいずれか一項に記載の清掃部材において、前記螺旋部は、短冊体の短辺と鋭角をなす方向に前記短辺に隣接する２つの長辺が互いに重なり合うように繰り返し巻かれて円柱状に変形された状態の前記短冊体を、前記軸体の軸方向に螺旋状に巻き付けて形成され、前記段差は、前記変形体を前記軸体の軸方向に螺旋状に巻き付けることで、前記変形体における２つの長辺が互いに重なり合う部分が開いて形成されている、ことを特徴とする。
【００１４】
本発明の請求項７の帯電装置は、像保持体の表面を帯電させる帯電部材と、前記帯電部材を被清掃体とする請求項１乃至６のいずれか一項に記載の清掃部材と、を備えたことを特徴とする。
【００１５】
本発明の請求項８の組立体は、請求項７に記載の帯電装置と、前記帯電装置によって帯電される像保持体と、を含み、画像形成装置本体に対して一体として交換可能となるように組立てられたことを特徴とする。
【００１６】
本発明の請求項９の画像形成装置は、像保持体と、請求項７に記載の帯電装置と、前記帯電装置によって帯電された前記像保持体の表面に潜像を形成する潜像形成装置と、前記潜像をトナーによってトナー像に現像する現像装置と、前記トナー像を被転写体に転写する転写装置と、を備えたことを特徴とする。
【００１７】
本発明の請求項１０の画像形成装置は、請求項８に記載の組立体を含んで構成され、前記組立体に備えられた像保持体に潜像を形成し、前記潜像をトナーによってトナー像に現像し、前記トナー像を被転写媒体に転写させる、画像形成部を備えたことを特徴とする。
【発明の効果】
【００１８】
本発明の請求項１に記載の清掃部材によれば、螺旋部幅方向における被清掃体との接触部の端部に被清掃体と接触する角部である場合に比べ、螺旋部幅方向における被清掃体との接触部の端部から生じる螺旋部のちぎれが抑制される。
【００１９】
本発明の請求項２に記載の清掃部材によれば、軸体の軸方向と段差との角度が、軸方向と螺旋部との角度よりも大きい場合に比べ、被清掃体上の異物の清掃性が向上する。
【００２０】
本発明の請求項３に記載の清掃部材によれば、螺旋部に形成された切れ目に対する回転方向上流側に形成されていない場合に比べ、簡単な構成で段差を作製できる。
【００２１】
本発明の請求項４に記載の清掃部材によれば、切れ目部が開いていない場合に比べ、被清掃体上の異物の清掃性が向上される。
【００２２】
本発明の請求項５に記載の清掃部材によれば、段差が複数設けられるとともに、軸体の軸方向においてオーバーラップされていない場合に比べ、被清掃体の軸方向全体の清掃不良が抑制される。
【００２３】
本発明の請求項６に記載の清掃部材によれば、本構成を有しない場合に比べ、切り込みを入れる工程なしで清掃部材が作製される。
【００２４】
本発明の請求項７に記載の帯電装置によれば、螺旋部を有する清掃部材を備えた帯電装置において、本構成を有しない場合に比べ、清掃不良に起因する帯電性能の低下が抑制される。
【００２５】
本発明の請求項８に記載の組立体によれば、本構成を有しない場合に比べ、清掃不良に起因する帯電性能の低下が抑制される。
【００２６】
本発明の請求項９に記載の画像形成装置によれば、本構成を有しない場合に比べ、帯電不良に起因する画質の低下が抑制される。
【００２７】
本発明の請求項１０に記載の画像形成装置によれば、本構成を有しない場合に比べ、帯電不良に起因する画質の低下が抑制される。
【図面の簡単な説明】
【００２８】
【図１】本発明の実施の形態に係る画像形成装置の全体構成を示す図である。
【図２】本発明の実施の形態に係る帯電装置を示す図である。
【図３】（Ａ）（Ｂ）本発明の実施の形態に係る清掃部材と被清掃体の接触状態を示す断面図である。
【図４】本発明の実施の形態に係る清掃部材と帯電部材の接触状態を示す側面図である。
【図５】（Ａ）（Ｂ）本発明の実施の形態に係る別の清掃部材と帯電部材の接触状態を示す断面図である。
【図６】（Ａ）（Ｂ）本発明の実施の形態に係る別の清掃部材と帯電部材の接触状態を示す断面図である。
【図７】（Ａ）（Ｂ）本発明の実施の形態に係る別の清掃部材と帯電部材の接触状態を示す断面図である。
【図８】（Ａ）（Ｂ）（Ｃ）本発明の実施の形態に係る別の清掃部材と帯電部材の接触状態を示す側面図である。
【図９】（Ａ）（Ｂ）（Ｃ）（Ｄ）（Ｅ）（Ｆ）本発明の実施の形態に係る清掃部材の製造工程を示す図である。
【図１０】（Ａ）（Ｂ）（Ｃ）（Ｄ）（Ｅ）本発明の実施の形態に係る清掃部材の別の製造工程を示す図である。
【図１１】（Ａ）（Ｂ）（Ｃ）（Ｄ）（Ｅ）本発明の実施の形態に係る清掃部材の別の製造工程を示す図である。
【図１２】（Ａ）（Ｂ）（Ｃ）（Ｄ）（Ｅ）（Ｆ）本発明の実施の形態に係る清掃部材の別の製造工程を示す図である。
【発明を実施するための形態】
【００２９】
以下、本発明の実施の形態に係る清掃部材、帯電装置、プロセスカートリッジ及び画像形成装置の一例を図面に基づき説明する。まず、画像形成装置の全体構成について説明する。次に、画像形成装置の画像形成について説明する。次に、帯電装置について説明し、その中で清掃部材について説明する。なお、図中に示す矢印ＵＰは鉛直方向上方を示す。
【００３０】
＜画像形成装置の全体構成＞
〔全体〕
図１は、本発明に係る清掃部材、帯電装置及びプロセスカートリッジを含む画像形成装置の一例としての画像形成装置１０を示している。
【００３１】
画像形成装置１０の内部には、記録媒体の一例としてのシート部材Ｐを収容する記録媒体収容部２８と、シート部材Ｐに画像を形成する画像形成部１１０と、記録媒体収容部２８から画像形成部１１０へシート部材Ｐを搬送する搬送ロール３２、３４と、シート部材Ｐの表面への画像形成が行われた後、シート部材Ｐを反転させて裏面への画像形成を行うための記録媒体搬送経路７４と、画像形成装置１０の各部の動作を制御する制御部５０と、が設けられている。
【００３２】
〔画像形成部〕
画像形成部１１０は、イエロー（Ｙ）、マゼンタ（Ｍ）、シアン（Ｃ）、ブラック（Ｋ）の各色のトナーに対応した光ビームを像保持体の一例としての感光体ドラム１２Ｙ、１２Ｍ、１２Ｃ、１２Ｋに出射させる潜像形成装置（露光装置）１７と、イエロー（Ｙ）、マゼンタ（Ｍ）、シアン（Ｃ）、ブラック（Ｋ）の各色のトナー画像を形成するプロセスカートリッジ１８Ｙ、１８Ｍ、１８Ｃ、１８Ｋと、プロセスカートリッジ１８Ｙ、１８Ｍ、１８Ｃ、１８Ｋで形成された各色のトナー画像をシート部材Ｐに転写させる転写装置３６と、シート部材Ｐに転写されたカラートナー画像をシート部材Ｐに定着させる定着装置６４と、を備えている。
【００３３】
なお、後述の説明では、Ｙ、Ｍ、Ｃ又はＫを区別する必要がある場合は、符号の後にＹ、Ｍ、Ｃ又はＫのいずれかを付して説明し、Ｙ、Ｍ、Ｃ又はＫを区別する必要がない場合は、符号の後のＹ、Ｍ、Ｃ又はＫを省略して説明する。
【００３４】
〔潜像形成装置〕
潜像形成装置１７は、制御部５０から送信される露光信号に基づき静電潜像に対応する光ビームを感光体ドラム１２の表面に向けて出射するようになっている。
【００３５】
〔プロセスカートリッジ〕
プロセスカートリッジ１８は、画像形成装置１０に着脱可能になっている。各色のプロセスカートリッジ１８は、鉛直方向に並んで配置されるようになっている。各プロセスカートリッジ１８は、矢印Ｒの方向へ回転する感光体ドラム１２を有している。
【００３６】
各プロセスカートリッジ１８は、感光体ドラム１２の周りに感光体ドラム１２の上流側から順に、感光体ドラム１２の表面を帯電させる帯電装置１６と、潜像形成装置１７から出射された光ビームにより形成される静電潜像に各色のトナーを現像してトナー画像を形成する現像装置２６と、感光体ドラム１２上に形成されたトナー画像がシート部材Ｐに転写された後に感光体ドラム１２の表面に残留するトナーを除去する除去装置８０と、を備えている。
【００３７】
なお、プロセスカートリッジ１８とは、画像形成装置に対して一体的に交換可能に組み付けられる組立体の一例である。
【００３８】
（感光体ドラム）
感光体ドラム１２は、アルミ製の円筒と、この円筒上に、下引き層、電荷発生層、電荷輸送層の順で形成された感光層と、を備えている。感光体ドラム１２は、帯電装置１６により帯電される場合は絶縁体としての性質を、潜像形成装置１７から出射された光ビームが入射される場合は半導体としての性質を示すようになっている。感光体ドラム１２の表面には、帯電装置１６によって帯電され、潜像形成装置１７によって潜像が形成されるようになっている。
【００３９】
（帯電装置）
帯電装置１６は、帯電部材（被清掃体）の一例としての帯電ロール１４と、清掃部材の一例としてのクリーニングロール１００と、を備えている。感光体ドラム１２の表面への帯電は、電圧が印加された帯電ロール１４を感光体ドラム１２の表面に接触させることにより行われる。また、クリーニングロール１００は、帯電ロール１４の表面に付着したトナー、外添剤、紙粉等の異物を除去するためのものである。帯電装置１６及びクリーニングロール１００については、後述により詳しく説明する。
【００４０】
（現像装置）
現像装置２６は、感光体ドラム１２へトナーを供給する現像剤供給体１９と、現像剤供給体１９へ付与されるトナーを攪拌しながら搬送する搬送部材２４と、を備えている。
【００４１】
（除去装置）
除去装置８０は、感光体ドラム１２の表面に転写されずに残ったトナーを除去するためのものである。ゴム製のブレードで構成されている。
【００４２】
〔転写装置〕
転写装置３６は、記録媒体搬送ベルト２０と、記録媒体搬送ベルト２０の内周面側で記録媒体搬送ベルト２０に張力を付与させて回転させるための支持ロール４０及び駆動ロール４２と、各感光体ドラム１２上に形成されたトナー画像を搬送されるシート部材Ｐに転写させる各転写ロール２２と、が備えられている。記録媒体搬送ベルト２０の表側は、鉛直方向に並んだ各感光体ドラム１２の外周面と接するようになっており、この外周面が接する記録媒体搬送ベルト２０の裏側は、各転写ロール２２により押圧されるようになっている。
【００４３】
〔定着装置〕
定着装置６４は、転写装置３６に対してシート部材Ｐの搬送方向Ｖの下流側に配置されている。定着装置６４は、定着ロール６４Ａと加圧ロール６４Ｂとを備えている。転写装置３６でシート部材Ｐに転写されたトナー画像は、定着ロール６４Ａと加圧ロール６４Ｂとから受ける熱と圧力によりシート部材Ｐに定着させるようになっている。
【００４４】
〔排出ロール〕
定着装置６４に対してシート部材Ｐの搬送方向Ｖの下流側には、画像形成装置１０の上部に設けられた排出部６８にトナー画像が定着したシート部材Ｐを排出する排出ロール６６が設けられている。
【００４５】
〔記録媒体反転経路〕
画像形成装置１０は、シート部材Ｐの一面側にトナー画像を転写、定着させた後、他面側にもトナー画像を転写、定着させることが可能となっている。画像形成装置１０では、排出ロール６６は、搬送方向Ｖと逆の方向へシート部材Ｐを搬送させることができるようになっている。搬送方向Ｖと逆の方向へ搬送されるシート部材Ｐは、記録媒体反転経路７０を搬送した後に記録媒体搬送ベルト２０に引き渡され、反転されるようになっている。
【００４６】
〔記録媒体収容部〕
転写装置３６に対してシート部材Ｐの搬送方向Ｖの上流側には、複数のシート部材Ｐが収容される記録媒体収納容部２８が設けられている。更に、記録媒体収納容部２８に収容された最上位のシート部材Ｐと接するように、最上位のシート部材Ｐを記録媒体収納容部２８から取り出す取出しロール３０が設けられている。また、取出しロール３０に対してシート部材Ｐの搬送方向Ｖの下流側には、取出しロール３０によって取り出されたシート部材Ｐを記録媒体搬送ベルト２０に搬送する搬送ロール３２、３４が設けられている。
【００４７】
〔現像剤〕
現像剤は、主にトナー粒子と外添剤とを含む粉体である。以下、トナー粒子と外添剤とについて説明する。
【００４８】
（トナー粒子）
画像形成装置１０に用いられる現像剤としてのトナーには、重合法により作製される重合トナーを用いることが好ましい。
【００４９】
トナー形状が不定形であると、流動性助剤の添加によっても流動性が十分でないことがあり、使用中の機械的せん断力によるトナー表面の微粒子のトナー凹部への移動により、経時的に流動性が低下する。更に、流動性助剤のトナー内部への埋没が起こることで現像性、転写性、クリーニング性が悪化する。また、クリーニングにより回収されたトナーを再び現像機に戻して使用すると、更に画質の低下を生じ易い。これらを防ぐために、更に流動性助剤を増加すると感光体ドラム１２上への汚染、フィルミング、傷等を発生させてしまう。
【００５０】
このため、意図的にトナー形状及び表面構造の制御を可能とする手段として、乳化重合凝集法によるトナーの製造方法が提案されている。これらは一般に、乳化重合等の重合法により樹脂微粒子の分散液を作製し、他方、溶媒に着色剤を分散させた着色剤粒子分散液を作製し、これらを混合した後、加熱及び／又はｐＨ制御、凝集剤添加などにより上記の樹脂微粒子と着色剤とを所望の粒子径になるまで凝集させ、その後凝集粒子を所望の粒子径で安定させ、次いで、樹脂微粒子のガラス転移点以上の温度に過熱して融合させてトナー粒子を作製するものである。
【００５１】
乳化重合凝集法で得たトナー粒子は、その粒度分布特性において従来の懸濁重合法等に代表される他の重合法で得たトナー粒子と比較して極めて優れた特性（特に粒度分布がシャープであり、分級操作を必要としない）を示し、これをトナーとして用いれば高品質の画質を長期に渡り得ることが可能である。また、乳化重合凝集法によるトナーの作製方法は、凝集粒子を樹脂微粒子のガラス転移点（Ｔｇ）以上に加熱して融合させることから、その加熱の仕方やｐＨの制御により、不定形の形状から球形の粒子状態のトナーまで様々な形状のトナーを作製することができるため、使用される電子写真方式において、いわゆるポテト形状から球形までの範囲で形状の選択が可能である。
【００５２】
（外添剤）
画像形成装置１０に用いられる現像剤の外添剤には、球形のシリカを含むことが好ましい。理由として、シリカは屈折率が１．５前後であり、粒径を大きくしても光散乱による透明度の低下、特にＯＨＰ表面への画像作成時のヘイズ値（光透過性の指標）等に影響を及ぼさないことが挙げられる。
【００５３】
一方、一般的なフュームドシリカは比重２．２であり、粒径的にも最大５０ｎｍが製造上から限界となる場合がある。また凝集体として粒径を上げることはできるが、均一分散が困難となる場合があり、安定してシール効果を発揮できない場合がある。
【００５４】
クリーニング性向上のために含有される外添剤の材料として好適なシリカ、特に比重１．３〜１．９で球形単分散のシリカは、湿式法であるゾルゲル法により得ることができる。ゾルゲル法は湿式法でかつ焼成することなしに製造する方法であるため、蒸気相酸化法等の他の方法に比べ、比重を低く制御することができる。また、疎水化処理工程での疎水化処理剤種、或いは処理量を制御することにより、更に比重を調整することが可能となる。シリカの粒径は、ゾルゲル法の加水分解、縮重合工程のアルコキシシラン、アンモニア、アルコール、水の質量比、反応温度、攪拌速度、供給速度により自由に制御できる。単分散で球形形状のシリカとすることもゾルゲル法にて可能となる。
【００５５】
具体的なシリカの製造方法は、以下の通りである。まず、水およびアルコールの混合溶液に、アンモニア水を触媒とし、温度をかけながらテトラメトキシシラン等のシラン化合物を滴下し攪拌を行う。次に、生成したシリカゾル懸濁液の遠心分離を行い、湿潤シリカゲルとアルコール、アンモニア水とに分離する。湿潤シリカゲルに溶剤を加え再度シリカゾルの状態にし、疎水化処理剤を加え、知りか表面の疎水化を行う。疎水化処理としては、一般的なシラン化合物を用いることができる。次にこの疎水化処理シリカゾルから溶媒を除去、乾燥、シーブすることにより、目的のシリカを得ることができる。またこのように得られた再度上述のゾルゲル法による処理を行っても構わない。
【００５６】
＜画像形成装置の画像形成プロセス＞
次に、本発明の実施の形態に係る画像形成装置１０による、画像形成プロセスについて説明する。
【００５７】
画像形成装置１０を作動させると、各感光体ドラム１２の表面が各帯電ロール１４によって帯電される。
【００５８】
次に、潜像形成装置１７から露光信号に対応した各光ビームが、帯電後の各感光体ドラム１２の表面に出射される。各感光体ドラム１２の表面には、各光ビームに対応した静電潜像が形成される。
【００５９】
次に、これらの静電潜像に対して各現像装置２６が各色のトナーを現像させ、各感光体ドラム１２の表面には各色のトナーのトナー画像が形成される。
【００６０】
次に、イエロー用の感光体ドラム１２Ｙ、マゼンタ用の感光体ドラム１２Ｍ、シアン用の感光体ドラム１２Ｃ、ブラック用の感光体ドラム１２Ｋの順で、各トナー画像が記録媒体搬送ベルト２０上により搬送されるシート部材Ｐに転写され、各トナー画像が重ね合わされる。これにより、シート部材Ｐ上には、カラー（Ｙ、Ｍ、Ｃ）とブラック（Ｋ）のカラートナー画像が形成される。
【００６１】
次に、シート部材Ｐは、定着装置６４に搬送され、定着ロール６４Ａと加圧ロール６４Ｂとで形成される接触部（ニップ部）を通過する。その際、定着ロール６４Ａと加圧ロール６４Ｂとから与えられる熱と圧力とにより、カラートナー画像がシート部材Ｐに定着される。
【００６２】
最後に、シート部材Ｐは、画像形成装置１０の上部の排出部６８に排出され、シート部材Ｐへのカラー画像形成が終了する。なお、シート部材Ｐの一面側にトナー画像を転写、定着させた後、他面側にもトナー画像を転写、定着させる場合には、シート部材Ｐを記録媒体反転経路７０により反転させて、トナー画像の転写、定着が行われ、その後排出部６８に排出されて終了する。
【００６３】
＜要部の構成＞
〔帯電装置〕
（全体）
図２は、本発明の実施の形態に係る帯電装置の一例としての帯電装置１６を示す。前述の通り、帯電装置１６は、帯電ロール１４と、クリーニングロール１００と、を備えている。更に、帯電ロール１４は、回転軸１４Ａと、帯電層１４Ｂと、を備えている。また、クリーニングロール１００は、回転軸１００Ａと、回転軸１００Ａの外周面に形成された螺旋部１００Ｂと、を備えている。
【００６４】
帯電ロール１４の回転軸１４Ａの両端部が図示しない圧縮ばねにより押圧されることで、帯電ロール１４の外周面は、感光体ドラム１２の表面に押圧されるようになっている。そして、感光体ドラム１２が画像形成プロセスにおいて回転する方向に回転することに伴い、帯電ロール１４は、感光体ドラム１２が回転する方向とは逆の方向（矢印Ｂの方向）に回転するようになっている。
【００６５】
一方、クリーニングロール１００の螺旋部１００Ｂは、帯電ロール１４の外周面とニップを形成して接触する。そして、帯電ロール１４が矢印Ｂの方向へ回転することに伴い、クリーニングロール１００は、矢印Ｂの方向と逆の方向（矢印Ａの方向）に従動するようになっている。
【００６６】
次に、クリーニングロール１００について、図３及び図４を用いて説明する。
【００６７】
図３は、クリーニングロール１００の側面側から見た断面形状を示す。図３（Ａ）は、クリーニングロール１００と帯電ロール１４との接触状態を示す断面図である。
【００６８】
回転軸１００Ａの外周面に接着層１００Ｃによって接着された螺旋部１００Ｂは、帯電ロール１４と接触する。ここで、螺旋部１００Ｂにおける帯電ロール１４の外周面に対し、回転に伴って接触する面を接触部１００Ｊと定義する。接触部１００Ｊの形状については、後述にて詳しく説明する。
【００６９】
図４は、クリーニングロール１００と帯電ロール１４との接触状態を示す側面図である。
【００７０】
螺旋部１００Ｂにおける帯電ロール１４の外周面との接触部１００Ｊには、矢印Ｂの方向に向く段差の一例としての切れ目部１００Ｅが複数個形成されている。切れ目部とは、切れ目によって形成された側面を有する部分をいう。クリーニングロール１００の外周面とこの側面によって、段差が形成される。
【００７１】
前述の通り、クリーニングロール１００は、帯電ロール１４の外周面とニップを形成して接触するため、帯電ロール１４が矢印Ｂの方向へ回転することに伴い、矢印Ｂとは逆の方向の矢印Ａの方向へ従動するようになっている。この場合、クリーニングロール１００の外周面の回転速度は、帯電ロール１４の外周面の回転速度と同等となる。
【００７２】
接触部１００Ｊに形成された切れ目部１００Ｅは、クリーニングロール１００の回転に伴い、帯電ロール１４と接触する。帯電ロール１４と接触する切れ目部１００Ｅは、帯電ロール１４によって潰された状態で帯電ロール１４の外周面を移動する。そして、帯電ロール１４の外周面から離間する際、切れ目部１００Ｅは帯電ロール１４から弾かれる。このように、複数の切れ目部１００Ｅが帯電ロール１４から弾かれることを繰り返すことで、帯電ロール１４の外周面に付着したトナー、外添剤、紙粉等の異物は、除去される（移動させられる）ようになっている。
【００７３】
帯電ロール１４の回転軸１４Ａとクリーニングロール１００の回転軸１００Ａとは、軸間距離が定められた位置となる定位置方式で構成されている。ただし、帯電ロール１４に対するクリーニングロール１００の位置決めは、定荷重方式でもよい。
【００７４】
（帯電部材）
次に、帯電ロール１４について、詳しく説明する。
【００７５】
帯電ロール１４は、回転軸１４Ａ上に帯電層１４Ｂとして図示しない導電性弾性層及び表面層を備えている。なお、表面層は、導電性弾性層の外周面に形成されている。
【００７６】
〈帯電ロール１４の直径〉
帯電ロール１４の直径はφ８ｍｍからφ１５ｍｍ、より好ましくはφ９ｍｍからφ１４ｍｍである。また、帯電層の厚みは、１．５ｍｍから４ｍｍであることが好ましい。
【００７７】
〈回転軸の材質〉
回転軸１４Ａの材質は、快削鋼、ステンレス鋼等が用いられる。摺動性等の用途に応じ材質および表面処理方法が選択される。導電性を有さない材質の場合は、メッキ処理等一般的な処理により加工され導電化処理が行われて用いられる。
【００７８】
〈帯電層における導電性弾性層の材質〉
帯電ロール１４の帯電層１４Ｂを構成する導電性弾性層は、弾性を有するゴム等の弾性材、導電性弾性層の抵抗を調整するカーボンブラックやイオン導電材等の導電材、必要に応じて、軟化剤、可塑剤、硬化剤、加硫剤、加硫促進剤、老化防止剤、シリカ又は炭酸カルシウム等の充填剤により構成されている。これら以外にも、通常ゴムに添加される材料を加えてもよい。
【００７９】
帯電ロール１４は、通常ゴムに添加される材料を添加した混合物を、回転軸１４Ａの外周面に被覆することにより形成される。抵抗値の調整を目的とした導電剤として、マトリックス材に配合されるカーボンブラックやイオン導電剤のような、電子及び／又はイオンをキャリアとして電気伝導する材料を分散したもの等を用いることができる。また、上記弾性材は発泡体であってもよい。
【００８０】
前述した導電性弾性層を構成する弾性材は、例えば、ゴム材に導電剤を分散させることによって形成される。ゴム材としては、イソプレンゴム、クロロプレンゴム、エピクロルヒドリンゴム、ブチルゴム、ウレタンゴム、シリコーンゴム、フッ素ゴム、スチレン−ブタジエンゴム、ブタジエンゴム、ニトリルゴム、エチレンプロピレンゴム、エピクロルヒドリン−エチレンオキシド共重合ゴム、エピクロルヒドリン−エチレンオキシド−アリルグリシジルエーテル共重合ゴム、エチレン−プロピレン−ジエン３元共重合ゴム（ＥＰＤＭ）、アクリロニトリル−ブタジエン共重合ゴム、天然ゴム、これらの混合物等が挙げられる。この中でも、シリコーンゴム、エチレンプロピレンゴム、エピクロルヒドリン−エチレンオキシド共重合ゴム、エピクロルヒドリン−エチレンオキシド−アリルグリシジルエーテル共重合ゴム、アクリロニトリル−ブタジエン共重合ゴム及びこれらの混合物が好ましく用いられる。これらのゴム材は発泡したものであっても無発泡のものであってもよい。
【００８１】
導電剤としては、電子導電剤やイオン導電剤が用いられる。電子導電剤としては、例えば、ケッチェンブラック、アセチレンブラック等のカーボンブラック又は熱分解カーボン、グラファイト、アルミニウム、銅、ニッケル、ステンレス鋼等の各種導電性金属又は合金、酸化スズ、酸化インジウム、酸化チタン、酸化スズ−酸化アンチモン固溶体、酸化スズ−酸化インジウム固溶体等の各種導電性金属酸化物、絶縁物質の表面を導電化処理したもの等の微粉末が用いられる。また、イオン導電剤としては、例えば、テトラエチルアンモニウム、ラウリルトリメチルアンモニウム等の過塩素酸塩又は塩素酸塩等、リチウム、マグネシウム等のアルカリ金属、アルカリ土類金属の過塩素酸塩、塩素酸塩等が用いられる。
【００８２】
前述した導電剤は、単独で用いてもよく、２種以上を組み合わせて用いてもよい。また、その添加量は特に制限はないが、前述した電子導電剤の場合、ゴム材１００質量部に対して１〜６０質量部の範囲であることが好ましく、一方、前述したイオン導電剤の場合、ゴム材１００質量部に対して０．１〜５．０質量部の範囲であることが好ましい。
【００８３】
〈帯電層における表面層の材質〉
前述した導電性弾性層の外周面に形成される表面層は、トナー等の異物による汚染の防止等のためのものである。表面層の材料としては、樹脂、ゴム等の何れを用いてもよく、特に限定するものではない。ポリエステル、ポリイミド、共重合ナイロン、シリコーン樹脂、アクリル樹脂、ポリビニルブチラール、エチレンテトラフルオロエチレン共重合体、メラミン樹脂、フッ素ゴム、エポキシ樹脂、ポリカーボネート、ポリビニルアルコール、セルロース、ポリ塩化ビニリデン、ポリ塩化ビニル、ポリエチレン、エチレン酢酸ビニル共重合体等が挙げられる。
【００８４】
これらのうち、外添剤による汚れの観点から、表面層の材料としては、ポリフッ化ビニリデン、４フッ化エチレン共重合体、ポリエステル、ポリイミド、共重合ナイロンが好ましい。共重合ナイロンは、６１０ナイロン、１１ナイロン、１２ナイロン、のうちのいずれか１種又は複数種を重合単位として含むものであって、この共重合体に含まれる他の重合単位としては、６ナイロン、６６ナイロン等が挙げられる。ここで、６１０ナイロン、１１ナイロン、１２ナイロンよりなる重合単位が共重合体中に含まれる割合は、重量比で合わせて１０％以上であるのが好ましい。上記重合単位が１０％以上の場合は、調液性および表面層塗布時における成膜性に優れるとともに、特に繰り返し使用時における樹脂層の磨耗や樹脂層への異物付着が少なく、ロールの耐久性が優れ、環境による特性の変化も少なくなる。
【００８５】
前述した高分子材料は単独で用いてもよく、２種以上を混合して用いてもよい。また、前述した高分子材料の数平均分子量は、１，０００〜１００，０００の範囲であることが好ましく、１０，０００〜５０，０００の範囲であることがより好ましい。
【００８６】
また、前述した表面層には導電性材料を含有させ、抵抗値を調整することができる。導電性材料としては、粒径が３μｍ以下であるものが望ましい。
【００８７】
また、抵抗値の調整を目的とした導電剤として、マトリックス材に配合されるカーボンブラックや導電性金属酸化物粒子、イオン導電剤のような電子及び／又はイオンを電荷キャリアとして電気伝導する材料を分散したもの等を用いることができる。
【００８８】
導電剤のカーボンブラックとして、具体的には、デグサ社製の「スペシャルブラック３５０」、「スペシャルブラック１００」、「スペシャルブラック２５０」、「スペシャルブラック５」、「スペシャルブラック４」、「スペシャルブラック４Ａ」、「スペシャルブラック５５０」、「スペシャルブラック６」、「カラーブラックＦＷ２００」、「カラーブラックＦＷ２」、「カラーブラックＦＷ２Ｖ」等が挙げられる。また、キャボット社製「ＭＯＮＡＲＣＨ１０００」、「ＭＯＮＡＲＣＨ１３００」、「ＭＯＮＡＲＣＨ１４００」、「ＭＯＧＵＬ−Ｌ」、「ＲＥＧＡＬ４００Ｒ」等が挙げられる。
【００８９】
前述したカーボンブラックはｐＨ４．０以下であり、一般的なカーボンブラックに比べ、表面に存在する酸素含有官能基の効果により、樹脂組成物中への分散性がよく、前記ｐＨ４．０以下のカーボンブラックを配合することにより、帯電均一性をよくすることができ、更に、抵抗値の変動を小さくすることができる。
【００９０】
この抵抗値を調整するための導電性粒子である導電性金属酸化物粒子は、酸化錫、アンチモンがドープされた酸化錫、酸化亜鉛、アナターゼ型酸化チタン、ＩＴＯ等の導電性を有した粒子で、電子を電荷キャリアとする導電剤あれば何れも用いることができる。これらは、単独で用いても２種類以上を併用することができる。なお、抵抗値調整および強度の点より、酸化錫、アンチモンドープがされた酸化錫、アナターゼ型酸化チタンが好ましく、酸化錫、アンチモンドープがされた酸化錫が更に好ましい。これらの導電性材料によって抵抗制御を行うことにより、表面層の抵抗値は環境条件によって変化せず、安定な特性が得られるようになる。
【００９１】
更に、前述した表面層には、フッ素系又はシリコーン系の樹脂が用いられ、フッ素変性アクリレートポリマーで構成されることが好ましい。また、表面層の中に微粒子を添加してもよい。これにより、表面層が疎水性となって帯電ロール１４への異物の付着が防止される。また、アルミナやシリカのような絶縁性の粒子を添加して、帯電ロール１４の表面に凹凸を付与し、感光体ドラム１２との摺擦時の負担を小さくして帯電ロール１４と感光体ドラム１２相互の耐磨耗性を向上させてもよい。
【００９２】
（清掃部材）
次に、清掃部材の一例としてのクリーニングロール１００について、詳しく説明する。
【００９３】
〈回転軸の材質〉
クリーニングロール１００の回転軸１００Ａは、主にアルミ、ステンレス、真鍮等の金属が使用されており、摺動性などの用途に応じ材質又は表面処理方法が選択される。導電性を有さない材質についてはメッキ処理等一般的な処理により加工され導電化処理が行われてもよい。また、回転軸１００Ａの製造の際、従来のような研削加工が行われることが無く、加工に必要なシャフトの剛性も低いことから樹脂シャフトを用いてもよい。
【００９４】
〈螺旋部の材質〉
螺旋部１００Ｂの材料は、例えば、多孔質の３次元構造を有する発泡体から構成され、必要な厚み、幅に加工された後、回転軸１００Ａに巻きつけられる。この発泡体は、ポリウレタン、ポリエチレン、ポリアミド若しくはポリプロピレン等の発泡性の樹脂又はＮＢＲ、ＥＰＤＭ、ＳＢＲ、シリコーンゴム等を材質としたものより選択される。螺旋部１００Ｂは、帯電ロール１４に押圧した状態で回転することによりトナー、外添剤、紙粉等の異物を効率的に除去する機能を有する。
【００９５】
一方で、帯電ロール１４の表面に螺旋部１００Ｂの擦れによる傷をつけないようにするため、また、長期にわたり千切れや破損が生じないようにするために、引き裂き、引っ張り等に強いポリウレタンが特に好ましい。
【００９６】
なお、ポリウレタンとして特に限定するものではなく、ポリエステルポリオール、ポリーエテルポリエステルやアクリルポリールなどのポリオールと、２，４−トリレンジイソシアネート、２，６−トリレンジイソシアネートや４，４−ジフェニルメタンジイソシアネート、トリジンジイソシアネート、１，６−ヘキサメチレンジイソシアネート等のイソシアネートの反応を伴っていればよく、１，４−ブタンジオール、トリメチロールプロパン等の鎖延長剤が混合されていることが好ましい。また、水やアゾジカルボンアミド、アゾビスイソブチロニトリルのようなアゾ化合物などの発泡剤を用いて発泡させるのが一般的である。更に、必要に応じて発泡助剤、整泡剤、触媒などの助剤を加えてもよい。
【００９７】
〈断面形状：図３〉
次に、クリーニングロール１００の側面側から見た断面形状について、図３（Ｂ）を用いて詳しく説明する。
【００９８】
螺旋部１００Ｂにおける接触部１００Ｊの幅方向の両端部に対する一端側は、接触部１００Ｊからこの一端側に向かうに従い、帯電ロール１４との接触部１００Ｊから徐々に離れるようになっている。言い換えれば、螺旋部１００Ｂの回転軸１００Ａの外周面からの高さは、帯電ロール１４との接触部１００Ｊからこの一端側に向かうに従い、帯電ロール１４との接触部１００Ｊとの高さから徐々に低くなるようになっている。このように帯電ロール１４との接触部１００Ｊとの高さから徐々に低くなる接触部１００Ｊの一端側の境界を境界部１００Ｋとする。一方、他端側には、角が形成されている。
【００９９】
図３（Ｂ）における二点鎖線は、クリーニングロール１００が帯電ロール１４に接触しない状態における形状を示している。螺旋部１００Ｂが帯電ロール１４と接触していない状態では、螺旋部１００Ｂは、二点鎖線の部分を含んだ形状である。一方、帯電ロール１４と接触する状態では、螺旋部１００Ｂは、螺旋部１００Ｂの外周面が帯電ロール１４に押圧されて弾性変形されて実線に囲まれた斜線部領域のような断面形状に変形する。
【０１００】
なお、螺旋部１００Ｂは、回転軸１００Ａの軸方向（一点鎖線Ｑの直線方向）に対し角度がαとなるように構成されている。
【０１０１】
前述の通り、帯電装置１６は、帯電ロール１４が矢印Ｂの方向に回転すると、クリーニングロール１００の回転軸１００Ａは矢印Ａの方向に回転するようになっている。回転軸１００Ａが矢印Ａの方向に回転すると、回転軸１００Ａの外周面に設けられた螺旋部１００Ｂは、図３（Ａ）のように、帯電ロール１４に対して回転軸１００Ａの軸方向に沿って定められた距離をおいて接触するようになっている。
【０１０２】
この場合、帯電ロール１４と接触する螺旋部１００Ｂの両端部は、帯電ロール１４に先に接触する側と後に接触する側とに分かれるようになる。そして、クリーニングロール１００では、この「帯電ロール１４に先に接触する側」とは、前述の「帯電ロール１４との接触部１００Ｊとの高さから徐々に低くなるようになっている側」であり、境界部１００Ｋの側である。
【０１０３】
〈段差：図４〉
次に、クリーニングロール１００の接触部１００Ｊに形成される切れ目部１００Ｅについて、図４に基づいて説明する。図４は、クリーニングロール１００と帯電ロール１４との接触状態を示す側面図である。切れ目部１００Ｅは、クリーニングロール１００の回転軸１００Ａの軸方向に沿って複数個形成されるとともに、この回転軸１００Ａの回転方向に沿って、定められた間隔で形成されている。また、切れ目部１００Ｅは、螺旋部１００Ｂの上面における幅方向全体に形成されている。また、切れ目部１００Ｅにおけるクリーニングロール１００の回転下流側の一辺は、帯電ロール１４との接触部に対して、クリーニングロール１００の回転軸１００Ａの回転方向に向いており、段差の一例を示す。
【０１０４】
ここで、螺旋部１００Ｂの幅方向を回転軸１００Ａの軸方向と定義する。この場合、切れ目部１００Ｅの幅はＬ１である。また、一の切れ目部１００Ｅと隣接する他の切れ目部１００Ｅとは、回転軸１００Ａの軸方向において長さＬ２分オーバーラップするようになっている。
【０１０５】
また、切れ目部１００Ｅは、回転軸１００Ａに対して発泡体を巻き付けることで形成すると、回転軸１００Ａの表面から螺旋部１００Ｂの上面に向かうに従い、より開いた状態に開口されるようになる。後述する図８〜１１の製造方法によって製造したクリーニングロール１００の場合、このようになる。
【０１０６】
なお、クリーニングロールは、回転軸の外周面全体に円筒状の発泡体を被せた後、この発泡体の形状が螺旋形状となるように加工して螺旋部を形成し、この螺旋部に切り込みを入れることで切れ目部を形成することでも製造される。この製造方法によって製造されたクリーニングロールの場合、切れ目部は閉じた状態で形成され、帯電ロールに接触する際に帯電ロールから受ける摩擦力により開いて開口部が形成されるようになっている。つまり、段差は、閉じた切れ目部であっても、帯電ロールと接触する際に形成されればよい。
【０１０７】
＜本発明の実施の形態の作用＞
次に、本発明の実施の形態に係る清掃部材、帯電装置、組立体及び画像形成装置の作用について説明する。
【０１０８】
各プロセスカートリッジ１８における各感光体ドラム１２の表面に各色のトナーのトナー画像が形成された後、各トナー画像が記録媒体搬送ベルト２０上により搬送されるシート部材Ｐに転写され、各トナー画像が重ね合わされる。
【０１０９】
一方、シート部材Ｐに各トナー画像が転写された後の各感光体ドラム１２は、シート部材Ｐに転写されなかったトナー、外添剤、紙粉等の異物を表面に付着させた状態で回転される。
【０１１０】
この異物は各除去装置８０により各感光体ドラム１２の表面から除去されるが、各除去装置８０によっても除去しきれなかった異物は、更に各感光体ドラム１２の表面に付着して各帯電ロール１４の表面と接触する。
【０１１１】
各帯電ロール１４の表面と接触した異物の一部は、各帯電ロール１４の表面に転写され、各帯電ロール１４の表面に付着して各帯電ロール１４の回転に伴い移動される。
【０１１２】
その後、各帯電ロール１４の回転に伴い移動した異物は、帯電ロール１４に回転しながら接触するクリーニングロール１００の切れ目部１００Ｅと接触し、螺旋部１００Ｂが変形状態から復元して帯電ロール１４から除かれる。
【０１１３】
帯電ロール１４から除かれた異物は、回転軸１００Ａの回転に伴い螺旋部１００Ｂが進行していく方向に移動される。
【０１１４】
また、帯電ロール１４に先に接触する側（境界部１００Ｋ側）の螺旋部１００Ｂの回転軸１００Ａの外周面からの高さは、帯電ロール１４との接触部１００Ｊからこの先に接触する側に向かうに従い、帯電ロール１４との接触部１００Ｊとの高さから徐々に低くなっている。このため、螺旋部１００Ｂの幅方向における帯電ロール１４との接触部１００Ｊの端部からの螺旋部のちぎれが抑制される。
【０１１５】
また、切れ目部１００Ｅにおけるクリーニングロール１００の回転下流側の一辺は、帯電ロール１４との接触部に対して、クリーニングロール１００の回転軸１００Ａの回転方向に向いている。したがって、向いていない場合に比べて、異物を除きやすい。
【０１１６】
また、切れ目部１００Ｅは、帯電ロール１４と接触する状態でも接触しないで状態も、回転軸１００Ａの外周面から螺旋部１００Ｂの接触部１００Ｊ側に向かうに従い、より開いた状態に開口している。したがって、帯電ロール１４から離間する際、クリーニングロール１００における切れ目部１００Ｅの面側部分の変形・復元が制限されにくく自由に振動できるため、異物が弾き飛ばされる。
【０１１７】
また、螺旋部１００Ｂに形成された複数の切れ目部１００Ｅは、クリーニングロール１００の回転軸１００Ａの軸方向において、オーバーラップされるように形成されている。この構成を有することで、帯電ロール１４の表面に付着した異物は、複数の切れ目部１００Ｅと接触されやすくなる。
【０１１８】
また、クリーニングロール１００を備える帯電装置１６は、螺旋部を有する清掃部材を備えた帯電装置において、接触部１００Ｊにクリーニングロール１００の回転方向に向く部分を有する切れ目部１００Ｅと、接触部１００Ｊの幅方向の両端側に対する一端側に向かうに従い、接触部１００Ｊから徐々に離れる一端側と、を有しない場合に比べ、清掃不良に起因する帯電性能の低下が抑制される。
【０１１９】
また、クリーニングロール１００を備える帯電装置１６を備えるプロセスカートリッジ１８は、接触部１００Ｊにクリーニングロール１００の回転方向に向く部分を有する切れ目部１００Ｅと、接触部１００Ｊの幅方向の両端側に対する一端側に向かうに従い、接触部１００Ｊから徐々に離れる一端側と、を有しない場合に比べ、清掃不良に起因する帯電性能の低下が抑制される。
【０１２０】
また、クリーニングロール１００を備える帯電装置１６を備える画像形成装置１０によれば、本構成を有しない場合に比べ、帯電不良に起因する画質の低下が抑制される。
【０１２１】
＜本発明の実施の形態に係る変形例＞
〔螺旋部における接触部の端部の変形例〕
（変形例１：図５）
次に、本発明の実施の形態に係る変形例１について、本発明の実施の形態に係る清掃部材１００、帯電装置、組立体及び画像形成装置と異なる部分を中心に説明する。
【０１２２】
図５（Ａ）は、本発明の実施の形態に係る清掃部材の変形例１としてのクリーニングロール１０２と被清掃体の一例としての帯電ロール１４との接触状態を示す断面図である。また、図５（Ｂ）は、図５（Ａ）の一部を拡大した断面図である。
【０１２３】
螺旋部１０２Ｂの形状について、図５（Ｂ）に基づいて説明する。螺旋部１０２Ｂの接触部１０２Ｊの幅方向の両端部は、接触部１０２Ｊから両端部に向かうに従い、帯電ロール１４との接触部１０２Ｊから端部１０２Ｋ、１０２Ｌを境にして徐々に離れるようになっている。言い換えれば、螺旋部１０２Ｂの回転軸１０２Ａの外周面からの高さは、帯電ロール１４との接触部１０２Ｊから両端部に向かうに従い、帯電ロール１４との接触部１０２Ｊとの高さから端部１０２Ｋ、１０２Ｌを境にして徐々に低くなるようになっている。
【０１２４】
また、図５（Ｂ）における二点鎖線は、クリーニングロール１０２が帯電ロール１４に接触しない状態における形状を示している。
【０１２５】
帯電ロール１４に先に接触する側及び後に接触する側のいずれの側が、帯電ロール１４に先に接触しても良いため、帯電ロール１４に対してクリーニングロール１０２の取り付ける方向が制限されない。
【０１２６】
したがって、クリーニングロール１０２を備えた帯電装置は容易に生産される。他の作用は、本発明の実施の形態の作用と同様である。
【０１２７】
（変形例２：図６）
次に、本発明の実施の形態に係る変形例２について、本発明の実施の形態及び変形例１に係る清掃部材、帯電装置、組立体及び画像形成装置と異なる部分を中心に説明する。
【０１２８】
図６（Ａ）は、本発明の実施の形態に係る清掃部材の更に異なる変形例２としてのクリーニングロール１０４と帯電ロール１４との接触状態を示す断面図である。また、図６（Ｂ）は、図６（Ａ）の一部を拡大した断面図である。
【０１２９】
螺旋部１０４Ｂの形状について、図６（Ｂ）に基づいて説明する。クリーニングロール１０４を側面側から見ると、螺旋部１０４Ｂの外周面は、回転軸１０４Ａの軸方向（一点鎖線Ｑの直線方向）に対して角度を持って直線で形成されている。このような螺旋部１０４Ｂを備えたクリーニングロール１０４は、帯電ロール１４に対して、螺旋部１０４Ｂの外周面の幅方向の一端側は帯電ロール１４と接触し、他端側は離間するようになっている。この場合、他端側は、帯電ロール１４との接触部１０４Ｊから境界部１０４Ｋを境にして徐々に離れるようになっている。
【０１３０】
また、図６（Ｂ）における二点鎖線は、クリーニングロール１０４が帯電ロール１４に接触しない状態における形状を示している。
【０１３１】
この作用は、本発明の実施の形態の作用と同様である。
【０１３２】
（変形例３：図７）
次に、本発明の実施の形態に係る変形例３について、本発明の実施の形態並びに変形例１及び２に係る清掃部材、帯電装置、組立体及び画像形成装置と異なる部分を中心に説明する。
【０１３３】
図７（Ａ）は、本発明の実施の形態に係る清掃部材の更に異なる変形例３としてのクリーニングロール１０６と帯電ロール１４との接触状態を示す断面図である。また、図７（Ｂ）は、図７（Ａ）の一部を拡大した断面図である。
【０１３４】
螺旋部１０６Ｂの形状について、図７（Ｂ）に基づいて説明する。螺旋部１０６Ｂの上面は、両端部の一端側から他端側に向かうに従い帯電ロール１４との接触部から徐々に離れ、離間して対向するようになっている。言い換えれば、螺旋部１０４Ｂの回転軸１０４Ａの回転軸１０６Ａの外周面からの高さは、帯電ロール１４との接触部１０６Ｊからこの他端側よりも他端に向かうに従い、帯電ロール１４との接触部１０６Ｊとの高さから徐々に低くなり、離間して対向するようになっている。
【０１３５】
また、図７（Ｂ）における二点鎖線は、クリーニングロール１０６が帯電ロール１４に接触しない状態における形状を示している。
【０１３６】
したがって、クリーニングロール１０６の螺旋部１０６Ｂの外周面における上記他端側は帯電ロール１４と離間していればよいため、形状が制限されない。他の作用は、本発明の実施の形態の作用と同様である。
【０１３７】
〔螺旋部における接触部の段差の変形例〕
（変形例４：図８（Ａ））
次に、本発明の実施の形態に係る変形例４について、本発明の実施の形態及び変形例１〜３に係る清掃部材、帯電装置、組立体及び画像形成装置と異なる部分を中心に説明する。
【０１３８】
図８（Ａ）は、本発明の実施の形態に係る清掃部材の別の変形例４としてのクリーニングロール１０６と帯電ロール１４との接触状態を示す断面図である。また、クリーニングロール１０６における螺旋部１０６Ｂの形状は、前述した図３に示すようになっている。
【０１３９】
クリーニングロール１０６の外周面には、切れ目部１０６Ｅが形成されている。切れ目部１０６Ｅは、クリーニングロール１０６の回転軸１０６Ａの軸方向（一点鎖線Ｑの直線方向）に対し角度βとなるように複数個形成されるとともに、この回転軸１０６Ａの回転方向（矢印Ａの方向）に沿って、定められた間隔で形成されている。また、切れ目部１０６Ｅにおけるクリーニングロール１０６の回転下流側の一辺は、帯電ロール１４との接触部に対して、クリーニングロール１０６の回転軸１０６Ａの回転方向に向いており、段差の一例を示す。
【０１４０】
なお、角度βは、螺旋部１０６Ｂにおける回転軸１０６Ａとの角度αよりも、小さいほうが好ましい。こうすることで、帯電ロール１４に対する清掃性が向上する。他の作用は、本発明の実施の形態の作用と同様である。
【０１４１】
（変形例５：図８（Ｂ））
次に、本発明の実施の形態に係る変形例５について、本発明の実施の形態及び変形例１〜４に係る清掃部材、帯電装置、組立体及び画像形成装置と異なる部分を中心に説明する。
【０１４２】
図８（Ｂ）は、本発明の実施の形態に係る清掃部材の別の変形例としてのクリーニングロール１０８と帯電ロール１４との接触状態を示す断面図である。
【０１４３】
クリーニングロール１０８の外周面には、段差１０８Ｅが形成されている。段差１０８Ｅは、クリーニングロール１０８の回転軸１０８Ａの軸方向に沿って複数個形成されるとともに、この回転軸１０８Ａの回転方向に沿って、定められた間隔で形成されている。
【０１４４】
なお、この変形例における段差とは、凹部の側面部分をいう。段差１０８Ｅとは、クリーニングロール１０８の外周面に設けられた凹部の側面部分であって、クリーニングロール１０８の回転方向に向く段差をいう。
【０１４５】
段差１０８Ｅは、本発明の実施の形態及び変形例１〜４とは異なり、切れ目部によって形成されていない。
【０１４６】
この作用は、本発明の実施の形態の作用と同様である。
【０１４７】
（変形例６：図８（Ｃ））
次に、本発明の実施の形態に係る変形例６について、本発明の実施の形態及び変形例１〜５に係る清掃部材、帯電装置、組立体及び画像形成装置と異なる部分を中心に説明する。
【０１４８】
図８（Ｃ）は、本発明の実施の形態に係る清掃部材の別の変形例としてのクリーニングロール１１０と帯電ロール１４との接触状態を示す断面図である。
【０１４９】
クリーニングロール１１０の外周面には、切れ目部１１０Ｅが形成されているが、本発明の実施の形態及び変形例１〜４とは異なり、切れ目部１１０Ｅは螺旋部１１０Ｂの幅方向の一端側に形成されている。また、切れ目部１１０Ｅにおけるクリーニングロール１１０の回転下流側の一辺は、帯電ロール１４との接触部に対して、クリーニングロール１１０の回転軸１１０Ａの回転方向に向いており、段差の一例を示す。
【０１５０】
この作用も、本発明の実施の形態の作用と同様である。
【０１５１】
＜本発明に係る清掃部材の製造方法＞
〔本発明に係る清掃部材の製造方法１：図９〕
次に、本発明に係る清掃部材（クリーニングロール）の製造方法１について説明する。
【０１５２】
図９は、クリーニングロール１１４の製造工程を示す図である。クリーニングロール１１４は、図９（Ａ）から図９（Ｄ）の順で製造される。以下、製造工程順に説明する。
【０１５３】
まず、短冊状の発泡体１１４Ｆを準備する（図９（Ａ））。次に、発泡体１１４Ｆの一端面に図示しない接着剤を塗布して、準備した回転軸１１４Ａに螺旋状に巻きつける（図９（Ｂ））。次に、回転軸１１４Ａに螺旋状に形成された発泡体１１４Ｆの他端面に対し、発泡体１１４Ｆの幅方向の両端部を面取りし、回転軸１１４Ｆの軸方向に沿った複数の切れ目部１１４Ｅを形成する（図９（Ｃ）、（Ｅ））。これらの工程を経て、クリーニングロール１１４が製造される（図９（Ｄ）、（Ｆ））。
【０１５４】
この製造方法によれば、前述した本発明の実施の形態に係る変形例１のクリーニングロール１０２が製造され得る。また、発泡体１１４Ｆの幅方向の一端部を面取りすれば、前述した本発明の実施の形態に係るクリーニングロール１００が製造され得る。
【０１５５】
なお、前述した製造方法１では、回転軸１１４Ａに発泡体１１４Ｆを巻き付けた後、発泡体１１４Ｆの幅方向の両端部を面取りしているが、面取りは、回転軸１１４Ａに発泡体１１４Ｆを巻き付ける前に行ってもよい。また、回転軸１１４Ｆの軸方向に沿った複数の切れ目部１１４Ｅを形成した後に行ってもよい。
【０１５６】
また、面取りは、いわゆるＣ面取りでも、Ｒ面取りでもよい。前述したクリーニングロール１００のように、面取りによって、接触部１００Ｊの幅方向の両端側に対する一端側に向かうに従い、接触部１００Ｊから徐々に離れる一端側が形成されればよい。
【０１５７】
クリーニングロール１１４の製造工程では、発泡体１１４Ｆを回転軸１１４Ａに巻きつけた状態で、発泡体１１４Ｆの上面に切れ目部１１４Ｅを形成する（図９（Ｂ）、（Ｃ））。切れ目部１１４Ｅは、発泡体１１４Ｆの外周面が内外周の周長差により引っ張られた状態で形成されるため、回転軸１１４Ａから外周面側に向かうに従い、より開いた状態で開口される（図９（Ｆ））。なお、切れ目部１１４Ｅにおけるクリーニングロール１１４の回転下流側の一辺は、帯電ロール１４との接触部に対して、クリーニングロール１１４の回転軸１１４Ａの回転方向に向いており、段差の一例を示す。また、製造方法１で製造されたクリーニングロール１１４は、前述したクリーニングロール１００、１０２と同等の作用を有する。
【０１５８】
〔本発明に係る清掃部材の製造方法２：図１０〕
次に、本発明に係る清掃部材（クリーニングロール）の製造方法２について説明する。
【０１５９】
図１０は、クリーニングロール１１６の製造工程を示す図である。クリーニングロール１１６は、図１０（Ａ）から図１０（Ｄ）の順で製造される。以下、製造工程順に説明する。
【０１６０】
まず、円筒状の発泡体１１６Ｆを準備する（図１０（Ａ））。次に、発泡体１１６Ｆの一部に図示しない接着剤を塗布して、準備した回転軸１１６Ａに螺旋状に巻きつける（図１０（Ｂ））。次に、回転軸１１６Ａに螺旋状に形成された発泡体１１６Ｆの外周側の曲面に対し、回転軸１１４Ｆの軸方向に沿った複数の切れ目部１１６Ｅを形成する（図１０（Ｃ））。これらの工程を経て、クリーニングロール１１６が製造される（図１０（Ｄ）、（Ｆ））。
【０１６１】
この製造方法によれば、本発明に係る清掃部材の製造方法１の面取りの工程（図９（Ｃ））が省略される。なお、発泡体１１６Ｆとして円筒状のものを用いて説明したが、半円筒状の発泡体を用いてもよい。この場合は、円筒形状側を外周面側とし、平坦面側に接着剤を塗布して回転軸１１６Ａに巻きつけてクリーニングロールが製造され得る。
【０１６２】
なお、切れ目部１１６Ｅにおけるクリーニングロール１１６の回転下流側の一辺は、帯電ロール１４との接触部に対して、クリーニングロール１１６の回転軸１１６Ａの回転方向に向いており、段差の一例を示す。また、製造方法２で製造されたクリーニングロール１１６は、前述したクリーニングロール１００、１０２と同等の作用を有する。
【０１６３】
〔本発明に係る清掃部材の製造方法３：図１１〕
次に、本発明に係る清掃部材（クリーニングロール）の製造方法３について説明する。
【０１６４】
図１１は、クリーニングロール１１８の製造工程を示す図である。クリーニングロール１１８は、図１１（Ａ）から図１１（Ｄ）の順で製造される。以下、製造工程順に説明する。
【０１６５】
まず、円筒状の発泡体１１８Ｆを準備する（図１１（Ａ））。次に、発泡体１１８Ｆに、発泡体１１８Ｆの軸方向に対して傾斜する複数の切れ目部１１８Ｅを定められた間隔で形成する（図１１（Ｂ））。次に、発泡体１１８Ｆの一部に図示しない接着剤を塗布して、切れ目部１１８Ｅの切れ目部方向と回転軸１１８Ａの軸方向が沿うようにして、準備した回転軸１１８Ａに螺旋状に巻きつける（図１１（Ｃ））。これらの工程を経て、クリーニングロール１１８が製造され得る（図１１（Ｄ）、（Ｆ））。
【０１６６】
なお、切れ目部１１８Ｅにおけるクリーニングロール１１８の回転下流側の一辺は、帯電ロール１４との接触部に対して、クリーニングロール１１８の回転軸１１８Ａの回転方向に向いており、段差の一例を示す。また、製造方法３で製造されたクリーニングロール１１８は、前述したクリーニングロール１００、１０２と同等の作用を有する。
【０１６７】
〔本発明に係る清掃部材の製造方法４：図１２〕
次に、本発明に係る清掃部材（クリーニングロール）の製造方法４について説明する。
【０１６８】
図１２は、クリーニングロール１２０の製造工程を示す図である。クリーニングロール１２０は、図１２（Ａ）から図１２（Ｄ）の順で製造される。以下、製造工程順に説明する。
【０１６９】
まず、短冊体の一例である短冊状の発泡体１２０Ｆを準備する（図１２（Ａ））。次に、短冊状の発泡体１２０Ｆの任意の短辺１２０Ｇを短辺１２０Ｇと鋭角γをなす方向Ｓに短辺１２０Ｇに隣接する長辺１２０Ｈと１２０Ｉとが重なり合うように繰り返し巻いて、変形体１２０Ｊ（短冊状の発泡体１２０Ｆの変形体）を準備する（図１２（Ｂ）、（Ｃ））。この場合、変形体１２０Ｊには螺旋状の筋１２０Ｋが形成される。筋１２０Ｋは、短冊状の発泡体１２０Ｆにおける長辺１２０Ｈと１２０Ｉとが重なり合った部分に相当する（図１２（Ｂ）、（Ｃ））。次に、準備した回転軸１２０Ａの軸方向に発泡体１２０Ｊの螺旋状の筋１２０Ｋが沿うようにして回転軸１２０Ａの外周面に螺旋状に巻き付ける（図１２（Ｄ））。これにより、変形体１２０Ｊの螺旋状の筋１２０Ｋは、回転軸１２０Ａに沿って開いた段差１２０Ｅを形成する。この際、変形体１２０Ｊにおける回転軸１２０Ａとの接触部側に接着剤を塗布して接着させる（図１２（Ｄ））。これらの工程を経て、クリーニングロール１２０が製造される（図１１（Ｅ）、（Ｆ））。
【０１７０】
なお、ここでいう「短冊状」とは、厳密な直方体である必要はない。また、「短辺」及び「長辺」は、面と面とにより形成される厳密な辺である必要はなく、例えば、丸みを持ったものでもよい。前述した製造方法４に準じて製造すれば、クリーニングロール１２０のように段差が形成されればよい。
【０１７１】
この製造方法によれば、本発明に係るクリーニングロールの製造方法１の面取りの工程（図９（Ｃ））が省略される。更に、本発明に係るクリーニングロールの製造方法１〜３における切れ目部を形成する工程（図９（Ｃ）、図１０（Ｃ）、図１１（Ｂ））も省略される。言い換えれば、これらの切り込みを入れる工程なしにクリーニングロール１２０が作製される。
【０１７２】
また、クリーニングロール１２０の段差１２０Ｅの高さは、短冊状の発泡体１２０Ｆを折り曲げる前の短冊状の発泡体１２０Ｆの厚みに相当する。前述した本発明の製造方法１のクリーニングロール１１４、製造方法２のクリーニングロール１１６及び製造方法３のクリーニングロール１１８の場合、発泡体の厚みまで切れ目部を入れると発泡体同士が分離してしまうため、これらの切れ目部の深さは発泡体の厚みよりも浅くなる。したがって、クリーニングロール１２０は、深い段差１２０Ｅが形成される。
【０１７３】
なお、段差１２０Ｅにおけるクリーニングロール１２０の回転下流側の一辺は、帯電ロール１４との接触部に対して、クリーニングロール１２０の回転軸１２０Ａの回転方向に向いており、段差の一例を示す。また、製造方法４で製造されたクリーニングロール１２０の他の作用は、前述したクリーニングロール１００、１０２と同等である。
【０１７４】
なお、本発明を特定の実施の形態について詳細に説明したが、本発明は係る実施の形態に限定されるものではなく、本発明の範囲内にて他の種々の実施の形態が可能である。例えば、帯電ロール１４は、回転軸に導電性の樹脂層を設け、感光体ドラム１２の表面に非接触に配置されてもよい。また、本発明の別の形態としては、被清掃体を感光体ドラムとして、感光体ドラム１２の表面に接触させて、感光体ドラム１２の表面のトナー、外添剤、紙粉等の異物を除去するクリーニングロールとして用いてもよい。
【０１７５】
≪実施例≫
以下、実施例としてのクリーニングロール及び帯電ロールを、各実施例及び各比較例の通り作製した。更に、各実施例及び各比較例の帯電装置を作製し、クリーニングロールの清掃能力の評価を行った。
【０１７６】
＜実施例１＞
（クリーニングロール）
実施例１のクリーニングロールは、本発明の清掃部材の製造方法４のクリーニングロール１２０の製造工程にしたがって作製された。
【０１７７】
ポリエーテルとイソシアネートとを混合し、得られたウレタン樹脂を加熱硬化させ、３次元網目構造となるウレタン材料（株式会社イノアックコーポレーション製ＥＰ７０）を厚さ２．３５ｍｍのシート状にスライスし、幅６ｍｍ、長さ２３２ｍｍ（長さは最低長）の短冊状に裁断した。この発泡体の短冊シートを用いて、前述した製造方法４のクリーニングロール１２０の製造工程にしたがって短冊状の発泡体の変形体を作製した。
【０１７８】
次に軸体として回転軸（ＳＵＳ３０４、外径５ｍｍ、長さ２３０ｍｍ）を用意し、前述の短冊状の発泡体の変形体を巻き付け、長手方向両端部分の発泡体を加熱溶着により軸体へ固定した。この際、元の発泡体の短冊シートの長手方向稜線部が軸体に対して沿うようにした。このようにしてクリーニングロールを得た。なお、軸に対して沿う段差のうち、帯電ロールの表面の異物の掻き取り機能を有する段差の深さは、巻き付け後に測定したところ２．１ｍｍであり、段差同士の間隔は２ｍｍ、回転軸方向の段差同士のオーバーラップＬ２は３ｍｍ、回転軸の外周面を基準としたクリーニングロールの螺旋部の厚みは４．２ｍｍであった。また、螺旋部の外周面の幅方向の両端部は、図１２（Ｅ）のような角部のない形状であった。
【０１７９】
（帯電ロール）
エピクロルヒドリンゴム１００質量部にイオン導電剤ＰＥＬ−１００（日本カーリット株式会社製）３質量部を添加して十分混練し、これを押し出し成形した後、外径６ｍｍ、長さ２４０ｍｍのＳＵＭ−Ｎｉ回転軸（硫黄快削鋼にニッケルメッキを施したもの）を挿入し、プレス成形機にて成形・加硫をおこなった後、研磨加工を行い、端部の外径８．９５ｍｍ、中央部の外径９．００ｍｍとなるように加工した。次に、端部を切断加工し、ゴム長を２１５ｍｍとした。その後、このロールの表面に浸漬塗布方法によってフッ素系樹脂を膜厚５μｍで塗布を行い、帯電ロールを作製した。
【０１８０】
（評価）
上記のようにして作製したクリーニングロール及び帯電ロールを、クリーニングロールと帯電ロールとの食い込み量を決める専用の軸受け（導電性ＰＯＭ製）とともにＤＥＬＬ製Ｃ３１１０ｃｎのプロセスカートリッジに組み込み、ＤＥＬＬ製Ｃ３１１０ｃｎに取り付けて連続印字テストを実施した。
【０１８１】
なお、クリーニングロールと帯電ロールとの取り付け方法であるが、軸方向中央部でクリーニングロールが０．３ｍｍの深さで帯電ロールに食い込むようそれぞれの軸間距離を固定し、クリーニングロールが帯電ロールに従動して回転するよう取り付けて、評価（印字試験）を行った。
【０１８２】
この評価は１枚ずつＪｏｂの指示を送り、回転動作が断続するように実施した。クリーニングロールの回転軸の軸方向に沿った段差の清掃能力は、粒径の大きな付着物が帯電ロール上に残った場合に発生する色点の発生有無で評価した。また、螺旋部両端の清掃能力は、帯電ロール上への付着物体積に起因する濃度ムラで評価した。５００、０００枚を基準とし、それ以下の印字で前述の色点又は濃度ムラが発生した場合は×、５００、０００枚を超える枚数まで画質に問題が出なかった場合を、その程度によって△（良い）、○（△より良い）、◎（○より良い）とした。それぞれの項目を目視にて評価し、どちらか一方でも×となった場合の総合判定を不合格、共に△以上の結果となった場合の総合判定を合格とした。結果を表１に示す。
【０１８３】
＜実施例２＞
実施例２のクリーニングロールは、本発明の清掃部材の製造方法３のクリーニングロール１１８の製造工程にしたがって作製された。
【０１８４】
実施例１に記載のウレタン材料を用いて、外径４．５ｍｍ、長さ２３２ｍｍの円筒状の発泡体を準備した。この円筒状の発泡体の表面に実施例１の回転軸の回転方向における段差同士の間隔と同等の間隔となるように複数の切れ目部を入れた。この複数の切れ目部を入れた円筒状の発泡体を実施例１と同様にして軸体へ巻き付け、クリーニングロールとした。巻き付け後に測定したクリーニングロールの回転軸に沿った切れ目部の深さは１．８ｍｍであり、クリーニングロール１００の螺旋部の厚みは３．６ｍｍであった。また、螺旋部の外周面の幅方向の両端部は、図１１（Ｄ）のような角部のない形状であった。
【０１８５】
このようにして作製したクリーニングロール及び実施例１と同等の条件で作製した帯電ロールを用いて、実施例１と同様の評価を行った。結果を表１に示す。
【０１８６】
＜実施例３＞
実施例３のクリーニングロールは、本発明の清掃部材の製造方法２のクリーニングロール１１６の製造工程にしたがって作製された。
【０１８７】
実施例１に記載のウレタン材料を用いて、外径４．５ｍｍ、長さ２３２ｍｍの円筒状の発泡体を準備した。この発泡体を実施例１と同様にして軸体へ巻き付けた後、実施例１の回転軸の回転方向における段差同士の間隔と同等の間隔となるように複数の切れ目部を入れ、クリーニングロールを作製した。切れ目部を入れた後に測定したクリーニングロールの回転軸に沿った切れ目部の深さは１．８ｍｍであり、螺旋部の厚みは３．６ｍｍであった。また、螺旋部の外周面の幅方向の両端部は、図１０（Ｄ）のような角部のない形状であった。
【０１８８】
このようにして作製したクリーニングロール及び実施例と同等の条件で作製した帯電ロールを用いて、実施例１と同様の評価をおこなった。結果を表１に示す。
【０１８９】
＜実施例４＞
実施例４のクリーニングロールは、本発明の清掃部材の製造方法４のクリーニングロール１１４の製造工程にしたがって作製された。
【０１９０】
実施例１に記載の発泡体の短冊シートを実施例１と同様の回転軸へ巻き付けた。その後、次の通り巻き付けた発泡体に追加工をした。まず、短冊シートの長手方向稜線部の面取り加工（片刃ナイフでの研削）し、螺旋部の幅方向の両端部の角部を丸めるよう加工した。次に、クリーニングロールの螺旋部に回転軸に沿った切れ目部を形成した。複数の切れ目部は、実施例１の回転軸の回転方向における段差同士の間隔と同等の間隔となるようにした。このようしてクリーニングロールを作製した。なお、完成したクリーニングロールの回転軸に沿った切れ目部の深さは１．５ｍｍであり、螺旋部の厚みは２．１ｍｍであった。
【０１９１】
上述のようにして作製したクリーニングロール及び実施例１と同等の条件で作製した帯電ロールを用いて、実施例１と同様の評価をおこなった。結果を表１に示す。
【０１９２】
＜比較例１＞
実施例１に記載の発泡体の短冊シートを実施例１のように回転軸へ巻き付け、クリーニングロールとした。完成したクリーニングロールの外周面には切れ目部や段差はなく、弾性層厚みは２．１ｍｍであった。螺旋部の外周面の幅方向の両端部には角部があった。
【０１９３】
このようにして作製したクリーニングロール及び実施例１と同等の条件で作製した帯電ロールを用いて、実施例１と同様の評価をおこなった。結果を表１に示す。
【０１９４】
＜比較例２＞
実施例１に記載の発泡体の短冊シートを実施例１のように回転軸へ巻き付け、クリーニングロールの螺旋部とした。その後、次の通り螺旋部を追加工した。短冊シートの長手方向の稜線の面取り加工（片刃ナイフでの研削）し、螺旋部の幅方向の両端の角部を丸めるよう加工した。このようしてクリーニングロールを得た。なお、完成したクリーニングロールの外周面には切れ目部や段差はなく、螺旋部の厚みは２．１ｍｍであった。
【０１９５】
このようにして作製したクリーニングロール及び実施例１と同等の条件で作製した帯電ロールを用いて、実施例１と同様の評価をおこなった。結果を表１に示す。
【０１９６】
＜比較例３＞
実施例１に記載の発泡体の短冊シートを実施例１のように回転軸へ巻き付け、クリーニングロールの螺旋部とした。その後、次の通り螺旋部を追加工した。クリーニングロールの螺旋部に回転軸に沿った切れ目部を形成した。複数の切れ目部は、実施例１の回転軸の回転方向における段差同士の間隔と同等の間隔となるようにした。このようしてクリーニングロールを作製した。完成したクリーニングロールの回転軸に沿った切れ目部の深さは１．８ｍｍであり、螺旋部の厚みは２．１ｍｍであった。螺旋部の幅方向の両端部には角部があった。
【０１９７】
このようにして作製したクリーニングロール及び実施例１の帯電ロールを用いて、実施例１と同様の評価をおこなった。結果を表１に示す。
【０１９８】
【表１】
2014074865.tif 000003
【符号の説明】
【０１９９】
１０   画像形成装置
１４   帯電ロール（被清掃体の一例）
１６   帯電装置
１７   潜像形成装置
１８   プロセスカートリッジ（組立体の一例）
２６   現像装置
３６   転写装置
１００ クリーニングロール（清掃部材の一例）
１００Ａ      回転軸（回転する軸体の一例）
１００Ｂ      螺旋部
１００Ｄ      端部
１００Ｅ      切れ目部（段差の一例）
１００Ｊ      接触部
１０２ クリーニングロール（清掃部材の一例）
１０２Ａ      回転軸
１０２Ｂ      螺旋部
１０２Ｄ      端部
１０２Ｅ      切れ目部（段差の一例）
１０２Ｊ      接触部
１０４ クリーニングロール（清掃部材の一例）
１０４Ａ      回転軸
１０４Ｂ      螺旋部
１０４Ｄ      端部
１０４Ｅ      切れ目部（段差の一例）
１０４Ｊ      接触部
１０６ クリーニングロール（清掃部材の一例）
１０６Ａ      回転軸（回転する軸体の一例）
１０６Ｂ      螺旋部
１０６Ｄ      端部
１０６Ｅ      切れ目部（段差の一例）
１０６Ｊ      接触部
１０８ クリーニングロール（清掃部材の一例）
１０８Ａ      回転軸
１０８Ｂ      螺旋部
１０８Ｄ      端部
１０８Ｅ      段差
１０８Ｊ      接触部
１１０ クリーニングロール（清掃部材の一例）
１１０Ａ      回転軸
１１０Ｂ      螺旋部
１１０Ｄ      端部
１１０Ｅ      切れ目部（段差の一例）
１１０Ｊ      接触部
１１４ クリーニングロール（清掃部材の一例）
１１４Ａ      回転軸
１１４Ｂ      螺旋部
１１４Ｄ      端部
１１４Ｅ      切れ目部（段差の一例）
１１４Ｊ      接触部
１１６ クリーニングロール（清掃部材の一例）
１１６Ａ      回転軸（回転する軸体の一例）
１１６Ｂ      螺旋部
１１６Ｄ      端部
１１６Ｅ      切れ目部（段差の一例）
１１６Ｊ      接触部
１１８ クリーニングロール（清掃部材の一例）
１１８Ａ      回転軸
１１８Ｂ      螺旋部
１１８Ｄ      端部
１１８Ｅ      切れ目部（段差の一例）
１１８Ｊ      接触部
１２０ クリーニングロール（清掃部材の一例）
１２０Ａ      回転軸
１２０Ｂ      螺旋部
１２０Ｄ      端部
１２０Ｅ      段差
１２０Ｊ      接触部
【図１】
2014074865.tif 000004
【図２】
2014074865.tif 000005
【図３】
2014074865.tif 000006
【図４】
2014074865.tif 000007
【図５】
2014074865.tif 000008
【図６】
2014074865.tif 000009
【図７】
2014074865.tif 000010
【図８】
2014074865.tif 000011
【図９】
2014074865.tif 000012
【図１０】
2014074865.tif 000013
【図１１】
2014074865.tif 000014
【図１２】
2014074865.tif 000015